(57)【特許請求の範囲】
【請求項１】
複数の側板と、この側板間に少なくとも載置物を載置可能な水平姿勢で着脱可能に取り付けられる棚板と、
側板の内面に設けられ、前記棚板を前後複数の位置で直接又は間接的に支持し得る棚板支持部と、
前記棚板及び前記棚板支持部の間に設けられ前記水平姿勢から傾斜させた傾斜姿勢で棚板を相対回転不能に支持し得る傾斜支持機構とを具備するものであり、
前記傾斜支持機構が、前記棚板に設けられた傾斜取付部であり、前記傾斜取付部が、前記棚板に形成された傾斜スリットを有していることを特徴とする家具。
【請求項２】
複数の側板と、この側板間に少なくとも載置物を載置可能な水平姿勢で着脱可能に取り付けられる棚板と、
側板の内面に設けられ、前記棚板を前後複数の位置で直接又は間接的に支持し得る棚板支持部と、
前記棚板及び前記棚板支持部の間に設けられ前記水平姿勢から傾斜させた傾斜姿勢で棚板を相対回転不能に支持し得る傾斜支持機構とを具備するものであり、
前記棚板支持部が前記棚板を前記傾斜姿勢で支持し得る傾斜固定孔を有するものであり、この傾斜固定孔を前記傾斜支持機構としている家具。
【請求項３】
前記傾斜取付部が、側板に直接又は間接的に支持される傾斜被支持面と、この傾斜被支持面に隣接させて設けたずれ止め突起とを有している請求項１記載の家具。
【請求項４】
前記棚板が、前記水平姿勢で載置物を載置可能に支持し得る水平支持面と、この水平支持部から屈曲又は湾曲させて設けられ前記傾斜姿勢で前記載置物を落下不能に支持し得る傾斜支持面とを有している請求項１、２又は３記載の家具。
【発明の詳細な説明】
【技術分野】
【０００１】
本発明は、オフィスや公共施設等に書架として用いられ得る家具に関するものである。
【背景技術】
【０００２】
従来、オフィスや公共施設等に設置される書架等として用いられる家具では、用途に応じて、書籍等を立てて収納し得る水平姿勢と、寝かせて載置した雑誌や書籍等の表紙が見易いように陳列すべく棚板を傾斜させた傾斜姿勢とをとり得るものが種々提案されている（例えば、特許文献１参照）。
【０００３】
上記特許文献に開示されたものは、側板の内面に設けられた前後方向に複数設けられた上下方向に例えば等間隔に配された棚板支持部を有しており、水平姿勢から棚板を傾斜姿勢とするときは、前後の棚板支持部間で上下位置を変更するとともに棚板における棚板支持部に支持される位置を変更するようにしている。
【０００４】
しかしながら上記特許文献に開示されたものを始め棚板が傾斜姿勢をとり得るものは、棚板の側板に対する相対角度の変更に適応すべく、個々の棚板支持部においては棚板と側板とが相対回転可能に構成されたものとなっている。このようなものであると、傾斜姿勢にある棚板への書籍等の出し入れの際に棚板に手などが当たっていずれかの取付部分の係り合いが外れてしまった場合には棚板が不意に回動してしまい、陳列しているものが大きく揺れ落下してしまったり、引いては棚板自体の落下をも招来したりしてしまう。或いは係る事態を回避すべく棚板の取付部分の形状を複雑なものとしたり、格別の固定手段等を配したりしなければならない。
【先行技術文献】
【特許文献】
【０００５】
【特許文献１】特開２００９−１０６６９３号公報
【発明の概要】
【発明が解決しようとする課題】
【０００６】
本発明は、上述したような点に着目したものであり、簡素な構成であっても傾斜姿勢にある棚板が安定して支持され得る家具を提供することを目的としている。
【課題を解決するための手段】
【０００７】
本発明は、このような目的を達成するために、次のような手段を講じたものである。すなわち本発明に係る家具は、複数の側板と、この側板間に少なくとも載置物を載置可能な水平姿勢で着脱可能に取り付けられる棚板と、側板の内面に設けられ、前記棚板を前後複数の位置で直接又は間接的に支持し得る棚板支持部と、前記棚板及び前記棚板支持部の間に設けられ前記水平姿勢から傾斜させた傾斜姿勢で棚板を相対回転不能に支持し得る傾斜支持機構とを具備することを特徴とする。
【０００８】
このようなものであれば、棚板支持部に対応して前後に複数設けられた個々の傾斜支持機構自体で側板と棚板との相対回転を禁止しているので、棚板に対して不意に外力が働いて何れかの棚板支持部による棚板の支持が解除されても棚板が側板に対し回転してしまうことはない。これにより棚板の過度な揺れを有効に回避し得るものとなる。その結果、棚板に不意に外力が働いても陳列物や棚板自身の落下を有効に回避することができる。
【０００９】
大きな仕様の変更を回避しつつ本発明を好適に適用するために、傾斜支持機構を、前記棚板に設けられた傾斜取付部としている。
【００１０】
棚板の大きな仕様変更を回避し簡素な構成にて本発明を好適に適用するために、傾斜取付部を、棚板に形成された傾斜スリットを有したものとしている。
【００１１】
傾斜姿勢での棚板のより安定した支持を実現するためには、傾斜取付部を、側板に直接又は間接的に支持される傾斜被支持面と、この傾斜被支持面に隣接させて設けたずれ止め突起とを有したものとすることが望ましい。
【００１２】
他方、既存の棚板であっても本発明を有効に適用するために、棚板支持部を前記棚板を前記傾斜姿勢で支持し得る傾斜固定孔を有するものとし、この傾斜固定孔を前記傾斜支持機構としている。
【００１３】
棚板が安定した書籍等の収容と好適な書籍等の陳列を有効に両立させるための構成として、棚板が、水平姿勢で載置物を載置可能に支持し得る水平支持面と、この水平支持部から屈曲又は湾曲させて設けられ前記傾斜姿勢で前記載置物を落下不能に支持し得る傾斜支持面とを有したものとすることが好ましい。
【発明の効果】
【００１４】
本発明によれば、床下や建物における配線の取り回しの複雑化を回避しつつ、且つ配線を目立たせずに取り回し得る家具を提供することができる。
【図面の簡単な説明】
【００１５】
【図１】本発明の一実施形態に係る正面図。
【図２】同側面図。
【図３】同外観図。
【図４】同要部の外観図。
【図５】同他の要部の外観図。
【図６】同要部の構成説明図。
【図７】図１に係るＩ−Ｉ線部分断面図。
【図８】同実施形態に係る要部の外観図。
【図９】図６に対応した他の構成説明図。
【図１０】図７に係る作用説明図。
【図１１】同実施形態に係る要部の外観図。
【図１２】同他の要部の外観図。
【図１３】同他の要部の構成説明図。
【図１４】同上。
【図１５】本実施形態の変形例に係る説明図。
【発明を実施するための形態】
【００１６】
以下、本発明の一実施の形態について図面を参照して説明する。
【００１７】
本実施形態に係る家具システムＳは、図１〜図１４に示すように、単独で書棚として使用され得る複数の家具１を、連結具２を介して前後方向に連結してなるものである。
【００１８】
家具１は、対をなす側板３間に横架材５や棚板８等の各構成要素を横架させた構成をなす互いに連接させた対をなす家具本体１０と、この家具本体１０の外側を被覆するパネル１１とを有している。本実施形態では家具１は、一対の連設させた家具本体１０に対しパネル１１を取り付けた構成を例示しているが、勿論連接させる家具本体１０の数は単数でもさらに多数であってもよい。
【００１９】
パネル１１は、図２等に示すように、主に板金の折り曲げにより構成されたパネル本体１１ａを主体とし、連接させた家具本体１０の外側面すなわち側板３に設けられた図示しないダルマ穴に挿入し得る図示しないピンを突設させ、当該ピンにより側板３に取り付け被覆し得るものである。そしてこのパネル１１は前記パネル本体１１ａの他に、例えば液用ディスプレイ等のオプション部材を取付けることができるオプション取付部１１ｂと、このオプション取付部１１ｂに取り付けられたオプション部材へ配線ｈを導入し得る配線穴１１ｃとを有している。
【００２０】
ここで、本実施形態に係る家具１は、複数の側板３と、この側板３間に少なくとも載置物を載置可能な水平姿勢（Ｐ）で着脱可能に取り付けられる棚板８と、側板３の内面に設けられ、前記棚板８を相対回転不能に直接又は間接的に支持し得る棚板支持部３５と、前記棚板８を棚板支持部３５により水平姿勢（Ｐ）から傾斜させた傾斜姿勢（Ｑ）で棚板８を支持し得る傾斜支持機構Ｘとを具備することを特徴とする。
【００２１】
以下、家具本体１０の具体的な構成から順に説明していく。
【００２２】
家具本体１０は、床面に図示しない態様にて固定された状態で立設された対をなす側板３と、この側板３間の下端部で前後対をなして横架させたベース４と、側板３の前後方向中央において下端部、上下方向の略中央部及び上端部にそれぞれ横架させた横架材５と、側板３の上端において横架させた天板６と、側板３間に棚爪９を介して着脱可能に取り付けられた棚板８と、この側板３を側方に同じ構成をなす側板３に連設させるための連設具７を有している。
【００２３】
連設具７は、図５、図８等に示されるように、例えば六角レンチ等の工具を用いて側方から互いに引き寄せて締め付け得る、雄ねじを有したものと雌ねじを有したものとがある既存のものであり、本実施形態では側板３を連設させている所ではこれら雄ねじ、雌ねじの締め付けにより強固に連設されているが、パネル１１が取り付けられる側板３ではパネル１１側に図示しない例えば雌ねじ部分が形成されており、斯かる側板３ではこの雌ねじ部分に対して例えば雄ねじを有した連設具７が取り付けられる。
【００２４】
ベース４は、上述の通り側板３の下端部の前後端を横架させた状態でねじ止め等により強固に固定されたものであり、このベース４と側板３によって平面視枠構造を構成し、家具本体１０自体の強度を向上させ得るとともに、床面からの配線ｈを前後方向に隠蔽し得るものである。
【００２５】
天板６は、図１３に示すように、天板６の上端に前後方向に３箇所において側板３にねじ止めされることによって側板３間に固定されるものである。なお本実施形態に斯かる家具１は図１４に示すように、天板６を取り付けずに使用することも可能である。これにより、最上段の棚板８上には、側板３の上端よりも高いものを載置することができる。
【００２６】
横架材５は、横架材５は、側板３の前後方向中央において下端部、中央部及び上端部の３箇所横架させた状態でねじ止めにより強固に固定された中空状に形成されたものであり、図４に示すように、両側端には取り付けの際に側板３側に掛け止めておくための対をなす取付フック５３と、この取付フック５３のやや下方において配線ｈを内部空間へ引き込むための配線導入口５２とを有している。
【００２７】
側板３は、板金の折り曲げによって形成された側板本体３１を主体としたものである。そして側板３は当該側板本体３１の他、側板本体３１の下端部に固着されるアジャスタ３２と、横架材５の取付位置において横架材５と共締めされる横架材取付具３３と、側板本体３１の上端において連結具２を取り付けるための連結具取付板３４とを有している。アジャスタ３２は側板本体３１の下端部においてベース４のやや内側に取り付けられている、また本実施形態ではアジャスタ３２は床面に直接または別途の部品を用いて固定される構成を適用しているが、当該構成についての説明は省略する。横架材取付具３３は図４に示すように、横架材５を取り付けた箇所にねじ止めされるものであり、横架材５の取付フック５３に係り合う対をなすフック支持孔３３ａと、このフック支持孔３３ａのやや下側に設けられ横架材５の配線導入口５２に連通し得る配線穴１１ｃとを有している。連結具取付板３４は、図１３及び図１４に示すように、連結具２を取り付けるために側板本体３１に例えばねじ止めされた板金の折り曲げによってなるものである。この連結具取付板３４は、連結具２を取り付けるための取付穴３４ｂと、連結具２との干渉を回避するために形成された取付凹部３４ａとを有している。
【００２８】
そして側板本体３１は、下端部近傍に配線ｈを挿通し得るようにした板金を凹ませて形成した下側挿通部３１ａと、この下側挿通部３１ａに連通しアジャスタ３２の若干内側の位置で内方に連通させた対をなす開口である下開口３１ｂと、前後略中央の位置で下側挿通部３１ａに連通する溝状に板金を凹ませた部位であり、棚板８本体の上下端に亘って延びる上下挿通部３１ｃと、この上下挿通部３１ｃにおける略中央位置、すなわち横架材５を取り付けた位置で開口するとともに、横架材５の配線導入口５２並びに横架材取付具３３の配線穴１１ｃに連通することによって横架材５の内部空間へ連通し得る連通口たる配線連通口３１ｄと、横架材５の取付フック５３を挿通し得る対をなすスリット３１ｅと、上端部に設けられ天板６を取り付けるための天板取付部３１ｇとを有している。下側挿通部３１ａ及び下開口３１ｂを設けることにより、図５に示すように床面からの配線ｈを家具本体１０の下方から導入し得るようにしている。また下開口３１ｂは側方に連接した側板３同士でも連通しているので、床面から隣接する家具本体１０間で配線ｈを取り回すことも可能である。そして上下挿通部３１ｃは、上述したパネル１１に設けられた配線穴１１ｃにも連通することにより、オプション取付部１１ｂに取り付けられた液晶ディスプレイ等のオプション部材にスムーズに接続し得る。
【００２９】
しかして本実施形態では、側方に連接した側板３同士の配線連通口３１ｄ同士を連通させることにより、隣接した複数の家具本体１０間において横架材５を介して連設方向にも配線ｈを取り回すことによって、所望の位置へ配線ｈを取り回し得るものとなっている。なお図１及び図３においては、家具１内に配線ｈを取り回し得る位置を破線を付して示している。
【００３０】
本実施形態では図１〜図３に示すように、下側挿通部３１ａ、下開口３１ｂ、上下挿通部３１ｃ、そして横架材５の内部空間において破線で示すように自由に配線ｈを取り回しすることができる。これにより、配線ｈを導入した位置から所要の位置の例えばオプション部材へ向けて効率良く配線ｈを配置し得るものとなっている。
【００３１】
また側板本体３１は、内面側すなわち側板３の内面において、上記の連設具７を内面と略面一となるよう取り付けるために設けられた凹陥及び開口からなる連設用穴３１ｆと、棚爪９を介して棚板８を間接的に取り付けるための棚板支持部３５とを有している。この棚支持部９２は、側板本体３１の前後にそれぞれ設けられている。そしてこの棚板支持部３５は、上下等間隔に複数配置された横長スリット形状の開口である爪固定穴３５ａからなる。
【００３２】
棚爪９は、例えば板金の折り曲げによって形成された既存のものであり、本実施形態では側板３側に挿入される挿入部９１と、棚板８の荷重を受ける棚支持部９２と、棚板８に前後方向に当接してずれないように棚板８を係止する棚係止部９３とを有するものとしている。
【００３３】
棚板８は、図１〜図１２に示すように、上記した棚爪９を介して側板３間、具体的には横架材５の前後に、爪固定穴３５ａの設けられた位置に応じて上下方向における所望の位置に取り付け得るものである。また棚板８は、図１及び図６〜図８に示されるような水平姿勢（Ｐ）と、この水平姿勢（Ｐ）から一旦棚板８を取り外した後棚板８の前後を反転させ、図３及び図９〜図１１に召すような傾斜姿勢（Ｑ）とをとり得るものである。
【００３４】
以下、棚板８の構成について説明する。この棚板８は、水平姿勢（Ｐ）で載置物を載置可能に支持し得る水平支持面８１と、この水平支持面８１から屈曲又は湾曲させて設けられ前記傾斜姿勢（Ｑ）で前記載置物を落下不能に支持し得る傾斜支持面８２と、水平姿勢（Ｐ）における前側で棚爪９に取り付けるための水平第一取付部８３と、水平姿勢（Ｐ）における後側で棚爪９に取り付けるための水平第二取付部８４と、棚板８を前後反転させた傾斜姿勢（Ｑ）では後上方において棚爪９に取り付けるための傾斜第一取付部８５と、同じく傾斜姿勢（Ｑ）で前下方で棚爪９に取り付けるための傾斜第二取付部８６とを有している。水平第一取付部８３並びに水平第二取付部８４は、それぞれ上下方向を同じく爪固定穴３５ａに取り付けられた前後の棚爪９の棚支持部９２に対し載せ置かれ支持される被支持面８３ａ、８４ａと、この被支持面８３ａ、８４ａの前後において板金を立ち上がらせることによって形成されたずれ止め面８３ｂ、８４ｂとを有している。このずれ止め面８３ｂ、８４ｂは棚爪９の棚係止部９３に適宜当接することにより、水平姿勢（Ｐ）にある棚板８が前後にずれることを禁止している。
【００３５】
しかして本実施形態に斯かる家具１は、傾斜第一取付部８５及び傾斜第二取付部８６を設けることにより、棚板８を棚板支持部３５により前記水平姿勢（Ｐ）から傾斜させた傾斜姿勢（Ｑ）で棚板８を支持し得る傾斜支持機構Ｘを構成している。
【００３６】
傾斜第一取付部８５は、棚爪９の棚支持部９２を挿入させ得る傾斜スリット８５ａを有し、この棚爪９の棚支持部９２が傾斜スリット８５ａ内に入り込み、傾斜スリット８５ａの当接端８５ｂに棚支持部９２の側端面が当接することにより、棚爪９に対して相対回転不能に支持される。ここで棚爪９は棚支持部９２に対して相対回転不能に支持されている。すなわち、棚支持部９２、棚爪９及び傾斜第一取付部８５とによって、棚板８を傾斜姿勢（Ｑ）で側板３に対し相対回転不能に支持する傾斜支持機構Ｘを構成している。
【００３７】
他方、傾斜第二取付部８６は、図１２に拡大して示すように、傾斜支持面８２近傍の棚板８の下端部において棚爪９を挿入させ得る爪挿入部８６ａと、棚爪９の棚支持部９２に支持される傾斜被支持面８６ｂと、水平姿勢（Ｐ）ではこの傾斜被支持面８６ｂよりも上側に隣接させて位置させた突起であるずれ止め突起たる上ずれ止め突起８６ｃと、同じく水平姿勢（Ｐ）では傾斜被支持面８６ｂよりも下側に隣接させて位置するずれ止め突起たる下ずれ止め突起８６ｄとを有している。そして図１１に示すように、傾斜第二取付部８６は爪挿入部８６ａから棚爪９を挿入させて傾斜被支持面８６ｂにて爪支持部に支持させた状態では前後から上ずれ止め突起８６ｃ、下ずれ止め突起８６ｄに挟まれて前後方向に位置決めされるしかもこれら上ずれ止め突起８６ｃ及び下ずれ止め突起８６ｄは棚爪９との係り合いを解除し得る方向のみに棚支持部９２を移動させ得ないようにしているので、この傾斜第二取付部８６は棚爪９に対して回転不能に取り付けられていることとなる。すなわち、棚爪９は棚支持部９２に対して回転不能に取り付けられているので、棚支持部９２、棚爪９及び傾斜第二取付部８６とによって、棚板８を傾斜姿勢（Ｑ）で側板３に対し相対回転不能に支持する傾斜支持機構Ｘを構成している。
【００３８】
そして、以上に説明した家具１は、図１３及び図１４に詳細に示すように、上述した連結具２を介して互いに連結されることによって本実施形態に係る家具システムＳを構成している。以下、連結具２の構成について説明する。
【００３９】
連結具２は、側板３の最上部に固定された連結具本体２０と、この連結具本体２０を他の家具１に取り付けられた連結具本体２０に対し接続する接続杆たるステー２１とを有するものである。
【００４０】
連結具本体２０は、板金の取り曲げ及び溶接からなるもので、側板３からさらに上方へ立ち上がる立設部２２と、この立設部２２から前後方向すなわち側板３の長手方向へ突出する突出部２３と、側板３の上端面の略全域を被覆する被覆板部２４と、この被覆板部２４から下方に突出する下突出部２５と、この下突出部２５から別の位置で下方へ側板３内部へ向けて突出し、側板３側にねじ止めされる被固定部２２ｂたるねじ止め部２６とを有している。立設部２２は、板金材を例えば門状に屈曲させた状態で被覆板部２４から立ち上がる立設部本体２２ａと、この立設部本体２２ａの上端において突出部２３を例えば溶接等により固定している固定部２２ｂとを有している。突出部２３は金属板をコの字状に折り曲げてなる突出部本体２３ａと、この突出部本体２３ａの上面側に溶接固定された溶接ナット２３ｂとを有している。そして下突出部２５は、天板６を取り付けるために設けられた天板取付部３１ｇの位置を回避するための干渉回避部たる退避凹部２５ａを有している。
【００４１】
ステー２１は、家具１間の距離に応じた長手寸法を有した金属製のチャネル材状に形成されたステー本体２７と、このステー本体２７の両端に例えば２箇所形成されボルト挿通孔２８とを有している。
【００４２】
そして連結具本体２０は、側板３の上端を被覆板部２４が被覆するように挿入すると、下突出部２５及びねじ止め部２６が側板３の内部に位置決めをしながら入り込み、ねじ止め部２６の位置でねじｎにより固定することにより、側板３の上端において強固に固定され得る。このとき図１３に示すように退避凹部２５ａを設けておくことにより、天板６を側板３の上部に取り付けた状態であっても天板取付部３１ｇに干渉することなく、安定して連結部本体を取り付けることができる。
【００４３】
そして図１４に示すように、連結具本体２０は勿論、家具１が天板６を外した状態で使用される場合であってもなんら影響されることはなく、安定して側板３に強固に取り付けられる。
【００４４】
そして側板３に強固に取り付けられた連結具本体２０に対し、ステー２１の端部を突出部２３に差し込み、しかる後にボルト挿通孔２８からボルトｂを挿入し溶接ナット２３ｂに締結することにより、連結具２は側板３の上端間を強固に連結する。これにより、家具１同士が強固に連結された家具システムＳが実現される。
【００４５】
以上のような構成とすることにより、本実施形態に係る家具１は、傾斜支持機構Ｘを具備することにより、棚板支持部３５に対応して前後に複数設けられた個々の傾斜支持機構Ｘ自体で側板３と棚板８との相対回転を禁止しているので、棚板８に対して不意に外力が働いて何れかの棚板支持部３５による棚板８の支持が解除されても棚板８が側板３に対し回転してしまうことはない。これにより棚板８の過度な揺れを有効に回避し得るものとなる。その結果、棚板８に不意に外力が働いても陳列物や棚板８自身の落下を有効に回避している。
【００４６】
また本実施形態では傾斜支持機構Ｘを、前記棚板８に設けられた傾斜取付部とたる傾斜第一取付部８３及び傾斜第二取付部８４とすることにより、棚板３側の大きな仕様変更を強いることなく傾斜姿勢（Ｑ）を好適に実現している。
【００４７】
特に本実施形態では、棚板８の大きな仕様変更を回避し簡素な構成にて本発明を好適に適用するために、傾斜取付部すなわち傾斜第一取付部８５を、棚板８に形成された傾斜スリット８５ａを有するものとしている。
【００４８】
傾斜姿勢（Ｑ）での棚板８のより安定した支持を実現するためには、傾斜取付部を、側板３に直接又は間接的に支持される傾斜被支持面８６ｂと、この傾斜被支持面８６ｂに隣接させて設けたずれ止め突起すなわり上ずれ止め突起８６ｃ、下ずれ止め突起８６ｄとを有したものとしている。
【００４９】
さらに、棚板８が安定した書籍等の収容と好適な書籍等の陳列を有効に両立させるための構成として本実施形態では、棚板８が、水平姿勢（Ｐ）で載置物を載置可能に支持し得る水平支持面８１と、この水平支持面８１から屈曲又は湾曲させて設けられ前記傾斜姿勢（Ｑ）で前記載置物を落下不能に支持し得る傾斜支持面８２とを有したものとしている。
【００５０】
＜変形例＞
以下、本実施形態の変形例について図１５を参照して説明する。なお当該変形例において、上記実施形態の構成要素に相当するものについては同じ符号を付すとともに、その詳細な説明を省略するものとする。
【００５１】
同図に示すように本変形例に係る家具１では、棚板８は上記実施形態と異なり傾斜第一取付部８５並びに傾斜第二取付部８６を設けない態様としている。
【００５２】
しかして本変形例に係る家具１では、棚板支持部３５が前記棚板８を前記傾斜姿勢（Ｑ）で支持し得る傾斜固定穴を有するものであり、この傾斜固定穴を前記傾斜支持機構Ｘとしているものである。この傾斜固定穴は、棚固定穴と同じ形状を有し、その取付位置並びに形成する角度が異なるようにして設けている。この傾斜固定穴ように、傾斜固定穴に棚爪９を取り付けると共に、水平第一取付部８３及び第二水平取付部８４を各棚爪９に支持させることにより、上記実施形態同様の傾斜姿勢（Ｑ）を実現することができる。このとき、棚爪９は前後でそれぞれ棚板８に対し相対回転が禁止され、且つ、棚板８は第一ずれ止め面８３ｂ、８４ｂおよび第二ずれ止め面８３ｂ、８４ｂによって相対回転が禁止されている。つまり、傾斜固定穴、棚爪９及び水平第一取付部８３により傾斜支持機構Ｘが構成される。同じく傾斜固定穴、棚爪９及び水平第一取付部８３により傾斜支持機構Ｘが構成される。
【００５３】
すなわち本実施形態に係る傾斜支持機構Ｘは、棚板８側の構成のみならず、側板３側の構成によっても実現し得る。もちろん、側板３と棚板８との間であれば、側板３と棚板８の両方に格別の構成を設けても良く、さらには棚爪９に格別の構成を設けることにより、傾斜支持機構Ｘを実現しても良い。
【００５４】
以上、本発明の実施形態について説明したが、各部の具体的な構成は、上述した実施形態のみに限定されるものではなく、本発明の趣旨を逸脱しない範囲で種々変形が可能である。
【００５５】
例えば、上記実施形態では棚板或いは側板の構成によって傾斜支持機構実現したが、勿論、棚爪の構成によって傾斜支持機構を実現したものであってもよい。また側板や棚板の具体的な態様は上記実施形態のものに限定されることはなく、既存のものを含め、種々の態様のものを適用することができる。
【００５６】
その他、各部の具体的構成についても上記実施形態に限られるものではなく、本発明の趣旨を逸脱しない範囲で種々変形が可能である。
【産業上の利用可能性】
【００５７】
本発明はオフィスや公共施設等に用いられる家具システムとして利用することができる。
【符号の説明】
【００５８】
１…家具
３…側板
３ａ…内面
３５…棚板支持部
３５ｂ…傾斜固定穴
８…棚板
８１…水平支持面
８２…傾斜支持面
８５…傾斜取付部（傾斜第一取付部）
８５ａ…傾斜スリット
８６…傾斜支持部（傾斜第二取付部）
８６ｂ…傾斜被支持面
８６ｃ…ずれ止め突起（上ずれ止め突起）
８６ｄ…ずれ止め突起（下ずれ止め突起）
Ｐ…水平姿勢
Ｑ…傾斜姿勢
Ｘ…傾斜支持機構
【図１】
0005948802.tif 000002
【図２】
0005948802.tif 000003
【図３】
0005948802.tif 000004
【図４】
0005948802.tif 000005
【図５】
0005948802.tif 000006
【図６】
0005948802.tif 000007
【図７】
0005948802.tif 000008
【図８】
0005948802.tif 000009
【図９】
0005948802.tif 000010
【図１０】
0005948802.tif 000011
【図１１】
0005948802.tif 000012
【図１２】
0005948802.tif 000013
【図１３】
0005948802.tif 000014
【図１４】
0005948802.tif 000015
【図１５】
0005948802.tif 000016